(57)【特許請求の範囲】
【請求項１】
回線単位の受信信号を監視して火災等の異常を判断し、異常判断時に警報を出力すると共に回線単位に外部機器の制御を行う受信制御部と、防災監視に必要な各種の操作スイッチを設けた操作部と、防災監視に必要な各種の警報表示を行う警報部とを備えた防災監視制御盤に於いて、
記憶領域を個別に読み書き可能な第１領域と第２領域に分け、専用の書込装置により少なくとも前記第１領域に基本データを記憶すると共に前記操作部のスイッチ操作により前記第２領域に連動データを記憶し、パッケージに収納されてコネクタにより前記受信制御部に着脱自在なフラッシュメモリと、
前記受信制御部のワーク領域として設けられたＲＡＭと、
電源投入時に前記フラッシュメモリに記憶したデータを前記ＲＡＭにコピーするコピー処理部と、
を備え、更に、前記コピー処理部は、電源投入時に、前記フラッシュメモリを参照してコピーコマンドを取得した際に、前記ＲＡＭに保持している基本データ及び連動データを前記フラッシュメモリにコピーバックすることを特徴とする防災監視制御盤。
【請求項２】
回線単位の受信信号を監視して火災等の異常を判断し、異常判断時に警報を出力すると共に回線単位に外部機器の制御を行う受信制御部と、防災監視に必要な各種の操作スイッチを設けた操作部と、防災監視に必要な各種の警報表示を行う警報部とを備えた防災監視制御盤に於いて、
記憶領域を個別に読み書き可能な第１領域と第２領域に分け、専用の書込装置により少なくとも前記第１領域に基本データを記憶すると共に前記操作部のスイッチ操作により前記第２領域に連動データを記憶し、パッケージに収納されてコネクタにより前記受信制御部に着脱自在なフラッシュメモリと、
前記受信制御部のワーク領域として設けられたＲＡＭと、
電源投入時に前記フラッシュメモリに記憶したデータを前記ＲＡＭにコピーするコピー処理部と、
を備え、更に、前記コピー処理部は、前記操作部の特定のスイッチを操作しながら電源を投入した際に、前記ＲＡＭに保持している基本データ及び連動データを前記フラッシュメモリにコピーバックすることを特徴とする防災監視制御盤。
【発明の詳細な説明】
【０００１】
【発明の属する技術分野】
本発明は、回線単位の受信信号を監視して火災等の異常を判断し、異常判断時に警報を出力すると共に回線単位に地区音響装置、防排煙機器等を遠隔制御する防災監視制御装置に関し、特に、防災監視に必要なデータの保存にフラッシュメモリを使用した防災監視制御盤に関する。
【０００２】
【従来の技術】
従来、例えば複合盤として知られた防災監視制御盤にあっては、火報用の受信制御機能と防排煙用の受信制御機能を個別に設けている。
【０００３】
即ち、火報用については、火報用の受信回路を設け、受信回路から引き出された火報用の感知器回線に火報用の感知器を接続している。また火報用の制御回路を設け、制御回路から引き出された制御回線に地区ベル等の地区音響装置を接続している。防災監視制御盤は火報用感知器回線の発報による受信信号で火災を判断すると、盤自体で火災に対応する警報表示を行うと同時に、連動データに基づいて火報用制御回線に制御信号を送出して地区ベルを鳴動させる。
【０００４】
また防排煙用については、防排煙用の受信回路を設け、この受信回路から引き出された防排煙用の感知器回線に防排煙用の感知器を接続している。また防排煙用の制御回路を設け、この制御回路から引き出された制御回線に防火戸レリーズ等の防排煙機器を接続している。
【０００５】
防災監視制御盤は、防排煙用感知器回線の発報による受信信号で火災を判断すると、盤自体で火災に対応する警報表示を行うと同時に、連動データに基づいて防排煙用制御回線に制御信号を送出して防火戸レリーズを作動し、防火戸の開放保持を解除して閉鎖させると共に、盤自体で駆動中及び作動確認の表示を行う。
【０００６】
このような防災監視制御盤にあっては、全回線数、火災、防排煙等の種別毎の回線数、連動元となる異常受信回線に対応して連動先となる制御回線に制御信号を送出して外部機器を連動させるための連動データ等の各種設定情報データを予めメモリに登録しておくことが必要であり、従来は、不揮発性メモリとしてＥＥＰＲＯＭを使用している。
【０００７】
ＥＥＰＲＯＭには、防災監視に必要な各種設定情報データを工場側でＲＯＭライタ等を使用して書込み、防災監視制御盤内に設けられるプリント基板にこのＥＥＰＲＯＭを実装している。また連動データについては、施工段階で変更する可能性が高く、このため防災監視制御盤にＥＥＰＲＯＭの書替え操作機能を設け、現場でも連動データを変更可能としている。
【０００８】
即ち、防災監視制御盤に設けている特定の操作スイッチを例えば連動データの設定スイッチに利用し、連動データを設定変更して登録操作を行うと、該当するＥＥＰＲＯＭのアドレスの連動データが書き替えられる。
【０００９】
ところで、近年にあっては、それまでのＥＥＰＲＯＭに比べ、容量、消費電力、コストの面で優れたフラッシュメモリが広く使用されており、防災監視制御盤においてもＥＥＰＲＯＭの代わりにフラッシュメモリを使用する傾向にある。
【００１０】
【発明が解決しようとする課題】
しかしながら、フラッシュメモリは、ＥＥＰＲＯＭのようにアドレスの指定によるデータの読み書きはできず、バンクと呼ばれるメモリ構成に依存した一定の記憶領域単位での読み書きが行われる。このため現場でフラッシュメモリの中の特定の連動データを変更する場合、アドレス単位で行っていたＥＥＰＲＯＭの書替えシーケンスがフラッシュメモリにおけるバンク単位の書替えに適用できず、アドレス単位に不揮発性メモリのデータを管理できない問題があった。
【００１１】
また現場で連動データを変更した場合、障害等で実装しているＥＥＰＲＯＭ上のデータが喪失した際のバックアップのため、変更後のデータを別のＥＥＰＲＯＭにコピーして保存しておくことが望ましい。しかし、従来は、設定変更が行なわれたＥＥＰＲＯＭを工場側に持ち帰って専用装置でコピーをとらなければならないという煩雑さがあった。
【００１２】
本発明は、このような従来の問題点に鑑みてなされたもので、バンク単位のアクセスを必要とするフラッシュメモリであっても、コピー機能を利用して実質的にアドレス単位でのデータの書替えを可能とし、更に簡単にコピーできるようにした防災監視制御盤を提供することを目的とする。
【００１３】
【課題を解決するための手段】
この目的を達成するため本発明は次のように構成する。まず本発明は、回線単位の受信信号を監視して火災等の異常を判断し、異常判断時に警報を出力すると共に回線単位に外部機器の制御を行う受信制御部と、防災監視に必要な各種の操作スイッチを設けた操作部と、防災監視に必要な各種の警報表示を行う警報部と備えた防災監視制御盤を対象とする。
【００１４】
このような防災監視制御盤につき本発明は、記憶領域を個別に読み書き可能な第１領域と第２領域に分け、専用の書込装置により少なくとも第１領域に基本データを記憶すると共に操作部のスイッチ操作により第２領域に連動データを記憶し、パッケージに収容されてコネクタにより受信制御部に着脱自在なフラッシュメモリと、受信制御部の記憶領域として使用されるＲＡＭと、電源投入時にフラッシュメモリに記憶されたデータをＲＡＭにコピーするコピー処理部とを設けたことを特徴とする。
【００１５】
このように電源投入時にフラッシュメモリのデータをＲＡＭにコピーして受信制御部で使用することで、ＲＡＭ上でアドレス単位でのデータの設定変更ができる。
【００１６】
またフラッシュメモリの記憶領域を、個別にアクセス可能な第１領域と第２領域に分け、現場での変更が原則的に必要ない基本データを第１領域に記憶し、現場での変更を必要とする連動データを第２領域に記憶したことで、例えばＲＡＭにコピーした際にデータの設定変更を第２領域のみに限定するメモリ管理が容易にでき、誤って基本データを現場で変更してしまう不具合が回避できる。
【００１８】
コピー処理部は、電源投入時に、フラッシュメモリを参照してコピーコマンドを取得した際に、ＲＡＭに保持している基本データ及び連動データをフラッシュメモリにコピーバックする。
【００１９】
これはＲＡＭからフラッシュメモリに対する自動コピー機能であり、電源投入時に参照されるフラッシュメモリの特定領域もしくはその制御部にコピー制御コマンドを設定しておくことで、フラッシュメモリが収納されるメモリパックをコネクタ接続して電源を投入するだけで、ＲＡＭに保持している基本データ及び連動データがフラッシュメモリに自動コピーできる。
【００２０】
具体的には、パッケージ化されたフラッシュメモリをコネクタ接続して電源を投入することで、フラッシュメモリの内容をＲＡＭにコピーし、この状態で例えば第２領域の連動データの変更を行う。連動データの変更が済んだら電源を一旦切り、コピー制御コマンドが予めセットされたコピー先のフラッシュメモリに差し替えてから電源を再度投入することで、自動コピーが行われる。
【００２１】
ここで防災監視制御盤は、ＲＡＭ専用の大容量コンデンサを内蔵しており、電源を切っても大容量コンデンサのバックアップの供給によりＲＡＭのデータは保持されており、このため再度の電源投入でフラッシュメモリへのコピーができる。
【００２２】
コピー処理部は、操作部の特定のスイッチ、例えば復旧スイッチを操作しながら電源を投入した際に、ＲＡＭに保持している基本データ及び連動データをフラッシュメモリにコピーバックする。これはＲＡＭからフラッシュメモリに対する手動コピー機能であり、現場操作によってＲＡＭに保持している基本データ及び連動データが別のフラッシュメモリに簡単にコピーできる。
【００２６】
【発明の実施の形態】
図１は、本発明による防災監視制御盤の実施形態となる回路構成及び機能のブロック図である。
【００２７】
図１において、防災監視制御盤１にはメインＣＰＵ２が設けられ、メインＣＰＵ２で実行されるプログラムの制御機能により受信制御部３とコピー処理部４が実現される。メインＣＰＵ２に対しては複数の回線ユニット５ａ，５ｂ・・・が設けられる。回線ユニット５ａからは火報用感知器回線６ａが引き出され、１または複数の火災感知器８ａを接続している。また、回線ユニット５ａからは制御回線７ａが引き出され、地区音響装置９を接続している。
【００２８】
回線ユニット５ｂは防排煙用感知器回線６ｂを引き出して火災感知器８ｂを接続し、また制御回線７ｂを引き出して防排煙機器１０を接続している。この感知器回線及び制御回線は、回線ユニット１台当り例えば１０回線引き出すことができ、回線ユニット数を５０枚とすることで、例えば最大で５００回線を引き出すことができる。回線ユニット５ａ，５ｂとメインＣＰＵ２との間のデータ伝送はシリアル通信により行われる。
【００２９】
メインＣＰＵ２に対しては、回線ユニット５ａ，５ｂ・・・に対応して地区表示部１１ａ，１１ｂ・・・が設けられる。地区表示部１１ａ，１１ｂとメインＣＰＵ２との間のデータ伝送もシリアル通信で行われる。地区表示部１１ａ，１１ｂは、地区表示灯を備えるか、あるいは７セグメント表示器により発報した回線番号を表示する。
【００３０】
メインＣＰＵ２に対しては、操作部１２、表示部１５、主音響装置１６、更に移報出力部１７が設けられる。操作部１２には連動データを登録操作するための操作スイッチ等の各種の操作スイッチが設けられるが、本発明のコピー処理に必要な電源スイッチ１３ａ、書込スイッチ１３ｂ及び復旧スイッチ１３ｃ、登録モード設定スイッチ１３ｄを示している。
【００３１】
表示部１５は、例えばＬＥＤや７セグメント表示器が使用され、各種の代表表示や回線番号表示が行われる。主音響装置１６は音声合成により警報監視に関する各種の音声出力を行う。移報出力部１７は、メインＣＰＵ２との間のシリアル通信に基づき外部機器を連動制御するための移報出力を行う。
【００３２】
メインＣＰＵ２に対してはワークメモリとして使用するＳＲＡＭ１８がＣＰＵバス２ａにより接続される。更にメインＣＰＵ２に対しては、メモリパック２０ａに収納されＣＰＵバス２ａに設けたコネクタ１９に着脱自在なフラッシュメモリ２０が設けられる。ＳＲＡＭ１８への電源は、停電時でも、専用の大容量コンデンサによりバックアップ供給されることで、データは保持される。
【００３３】
更に防災監視制御盤１には電源ユニット２１が設けられる。電源ユニット２１にはバッテリを使用した予備電源が含まれ、停電時に電源供給が遮断すると、予備電源に切り替わり、予め定めた一定時間に亘り防災監視制御盤１の動作機能を保証する。
【００３４】
図２は、図１の防災監視制御盤１で使用する回線ユニット５を取り出している。回線ユニット５は回線基板２２と移報制御リレー基板２３で構成される。回線基板２２にはローカルＣＰＵ２４が設けられ、ローカルＣＰＵ２４に対しては火災受信回路２５、確認信号受信回路２６が設けられ、更に移報制御リレー基板２３の制御出力回路２７も設けられている。
【００３５】
火災受信回路２５には火報用感知器回線６により火災感知器８が接続される。移報制御リレー基板２３の制御出力回路２７には、制御回線７によって地区音響装置９あるいは防排煙機器１０が接続される。防排煙機器１０を接続した場合には、遠隔制御による動作確認のため確認回線２６ａが確認信号受信回路２６に接続される。ローカルＣＰＵ２４と図１のメインＣＰＵ２との間のデータのやり取りは、伝送回路２８によりシリアル通信で行われる。
【００３６】
図２の回線ユニット５は、ローカルＣＰＵ２４に対し単一の火災受信回路２５、確認信号受信回路２６、及び移報制御リレー基板２３の制御出力回路２７を設けた場合を例にとっているが、実際にはローカルＣＰＵ２４に対し予め定めた例えば１０回線分の各回路が設けられ、このような回線ユニット５ａが５０組設けられることで最大５００回線を実現する。
【００３７】
また図１，図２にあっては、回線ユニットに火災感知器を接続した場合を例にとっているが、これ以外にガス検知器等の他のセンサや、他設備の移報出力部を接続することができる。火災感知器の代わりにガス検出器を接続した場合には火報用感知器回線６はガス回線となり、また火災受信回路はガス受信回路となる。また他設備の移報出力部を接続した場合には感知器回線は警報回線となり、火災受信回路は警報受信回路となる。
【００３８】
このような防災監視制御盤の監視や制御等に必要な各種設定情報データは、メモリパック２０ａに収納されてコネクタ１９により着脱自在なフラッシュメモリ２０に基本データと連動データに分けて記憶されている。
【００３９】
フラッシュメモリ２０に記憶されている基本データ及び連動データは、防災監視制御盤１の内部に設けられる電源スイッチ１３ａをオンして電源を投入した際のメインＣＰＵ２の立ち上がり時に、コピー処理部４のコピー機能によって読み出され、ＳＲＡＭ１８上にコピーされる。このため監視中にあっては、メインＣＰＵ２はＳＲＡＭ１８にコピーされた基本データ及び連動データに基づく監視や制御等を行う。
【００４０】
図３は図１のフラッシュメモリ２０に記憶された監視や制御等に必要な各種設定情報データのデータ構成及びデータ内容の説明図である。
【００４１】
図３のフラッシュメモリ２０のメモリマップにあっては、フラッシュメモリ２０は、読み書き単位となるバンク＃０〜＃５に分けられている。このようなバンク＃０〜＃５につき、例えばバンク＃０，＃１の２バンクを第１領域となる基本データ領域３０に割当て、バンク＃２〜＃５の４バンクを第２領域となる連動データ領域３２に割当てている。勿論、基本データ領域３０及び連動データ領域３２のそれぞれのバンク数は必要に応じて適宜に定められる。
【００４２】
基本データ領域３０に、右側に取り出して示すように、基本データ３３が格納され、基本データ３３には回線数データ３４、内部ユニット実装データ３５、オプション機能設定データ３６及び異常検出判定データ３７が含まれる。回線数データ３４は、右側に取り出して示すように、全回線数データ３８、火報回線数データ３９、防排煙回線数データ４０、ガス回線数データ４１及び警報回線数データ４２が含まれている。
【００４３】
内部ユニット実装データ３５には、図１の防災監視制御盤１に実装している各ユニットの実装数を示すデータが格納されている。オプション機能の設定データ３６には、例えば断線障害の蓄積の有無及び断線蓄積タイマー時間を示すデータ等のオプション機能の設定データが含まれている。異常検出判定データ３７には、例えば予備電源等の電圧異常判定レベルを示すデータ等が含まれている。
【００４４】
一方、連動データ領域３２には、その１つを代表して示すように、連動データ４３が記憶されている。連動データ４３は、右側に取り出して示すように、連動元４４と連動先４５の組で構成される。連動元４４は１つであるが、連動先４５は１または複数が設定できる。連動元４４の設定情報としては、受信回線の回線番号等を設定する。
【００４５】
連動先４５の設定情報としては、制御回線や移報出力部の回線の回線番号を設定する。例えば種別に火報が設定されている受信回線が連動元の場合には、連動先として例えば地区音響制御の種別が設定されている制御回線の回線番号を設定する。
【００４６】
また、種別に防排煙が設定されている受信回線が連動元の場合には、連動先として例えば防排煙制御の種別が設定されている制御回線の回線番号を設定する。
【００４７】
次に図１のメインＣＰＵ２に設けたコピー処理部４のコピー処理機能を説明する。本発明の防災監視制御盤１におけるコピー処理部４のコピー機能は次の４つのコピーモード１，２，３，４をもつ。
【００４８】
［コピーモード１］
コピーモード１は、電源投入時にフラッシュメモリ２０の内容をＳＲＡＭ１８にコピーし、その後、データ登録モード時に連動データ等の変更を行って書込スイッチ１３ｂを操作すると、ＳＲＡＭ１８の内容をフラッシュメモリ２０にコピーバックする。
【００４９】
［コピーモード２］
コピーモード２は、防災監視制御盤１を使用して手動操作によりメモリパック２０ａのコピーをとるモードである。このコピーモード２のコピー処理は、コピー元のフラッシュメモリ２０をコネクタ１９に接続した状態で、防災監視制御盤１の電源スイッチ１３ａを投入してフラッシュメモリ２０の内容をＳＲＡＭ１８にコピーする。次に電源スイッチ１３ａを切って電源を落とし、この状態でコピー先となる別のフラッシュメモリのメモリパックに差し替え、復旧スイッチ１３ｃをオンしながら電源スイッチ１３ａを投入する。これによってコピー処理部４はコピーモード２を認識し、ＳＲＡＭ１８の内容をメモリパック２０ａのフラッシュメモリ２０にコピーバックする。
【００５０】
［コピーモード３］
コピーモード３は、メモリパック２０ａのコピーを防災監視制御盤１でとるものであるが、コピーモード２とは異なり、復旧スイッチ１３ｃの操作を必要とすることなく自動的にコピーができる。この自動コピーのため、コピー先のフラッシュメモリ２０に予めコピー制御コマンドをセットしておく。コピーモード３のコピー動作はコピーモード２の場合と基本的に同じであるが、コピー先のフラッシュメモリ２０に差し替えて電源を投入する際に、コピーモード２のように復旧スイッチ１３ｃを操作する必要がない。
【００５１】
［コピーモード４］
コピーモード４は、図３のように基本データ領域３０と連動データ領域３２に分かれているフラッシュメモリ２０の内容を、フラッシュメモリ２０側に予めセットしている部分コピー制御コマンドに基づき、基本データと連動データを各々別々にＳＲＡＭ１８にコピーする。
【００５２】
図４は、図１のコピー処理部４によるコピーモード１、コピーモード２及びコピーモード４を含むコピー処理のフローチャートである。
【００５３】
図４において、まずコピーモード１のコピー処理を説明する。コピーモード１は、電源投入時にフラッシュメモリ２０の基本データと連動データをＳＲＡＭ１８にコピーし、その後、データ登録モード時に操作部１２の操作スイッチの操作によりＳＲＡＭ１８上の連動データを追加、修正することで変更し、書込スイッチ１８ｂの操作でフラッシュメモリ２０に変更されたＳＲＡＭ１８の内容をコピーバックする処理である。
【００５４】
このコピーモード１では、電源スイッチ１３ａをオンしても、登録モード設定スイッチ１３ｄ、復旧スイッチ１３ｃはオンしていないことから、ステップＳ１からステップＳ３に進み、フラッシュメモリ２０のチェック処理を行う。
【００５５】
このチェック処理により、ステップＳ４でフラッシュメモリ２０が実装されていることが判別されると、ステップＳ６に進み、基本データのコピー制御コマンドの有無をチェックする。ステップＳ４でフラッシュメモリ２０が実装されていないと判別されると、ステップＳ５に進み、ＳＲＡＭ１８のデータをクリアして一連の処理を終了する。
【００５６】
コピーモード１の場合にはステップＳ６で基本データのコピー制御コマンドは得られないことからステップＳ７に進み、ＳＲＡＭ１８をクリアした後、ステップＳ８でフラッシュメモリ２０の内容をＳＲＡＭ１８にコピーする。続いて、ＳＲＡＭ１８にコピーした内容に基づく通常監視処理をステップＳ１０で行っている。
【００５７】
また、この通常監視処理中にステップＳ１１でパワーオフ操作を判別すると処理を終了し、電源投入の待機状態となる。この状態で登録モード設定スイッチ１３ｄをオンしながら電源スイッチ１３ａを投入する。パワーオンスタートで動作が開始されると、ステップＳ１で登録モード設定スイッチ１３ｄのオンが判別されて、ステップＳ１２に進みデータ登録モードが設定され、ステップＳ１３でデータ登録処理が行われる。ステップＳ１３では、操作部１２の操作スイッチを操作することで連動データを含む各種の設定情報データの登録処理が行われる。
【００５８】
このデータ登録モードの状態において、ステップＳ１４で操作部１２のスイッチを利用した連動データの登録操作を判別すると、ステップＳ１５に進み、ＳＲＡＭ１８の該当するアドレスに変更した連動データの書込みを行う。続いてステップＳ１６で書込スイッチ１３ｂのオンを判別すると、ステップＳ１７に進み、そのときのＳＲＡＭ１８の内容をフラッシュメモリ２０に書き込むコピーバックを行う。
【００５９】
またこのデータ登録処理中にステップＳ１８でパワーオフ操作を判別すると、ステップＳ１９でデータ登録モードを終了してパワーオフし、電源投入の待機状態となる。
【００６０】
次に、コピーモード２により防災監視制御盤１を使用してフラッシュメモリ２０のコピーをとる場合を説明する。いまＳＲＡＭ１８にコピー元となるフラッシュメモリ２０の内容がコピーされており、この状態で電源スイッチ１３ａをオフした後に復旧スイッチ１３ｃをオンしながら電源スイッチ１３ａを投入する。
【００６１】
パワーオンスタートで動作が開始されると、ステップＳ２で復旧スイッチ１３ｃのオンが判別され、ステップＳ２０に進み、そのときのＳＲＡＭ１８の内容をフラッシュメモリ２０にコピーする。コピーが終了すると、ステップＳ２１でコピー終了を知らせる「ピーピーピー」等の音響出力が行われる。
【００６２】
次にコピーモード４による基本データの部分コピーを説明する。この部分コピーのため、コピー元となるフラッシュメモリ２０には基本データのコピー制御コマンドが予めセットされている。
【００６３】
コピー元となるフラッシュメモリ２０をコネクタ１９に接続した状態で電源スイッチ１３ａをオンする。このとき登録モード設定スイッチ１３ｄ、復旧スイッチ１３ｃはオンしていないことから、ステップＳ１からステップＳ３に進み、フラッシュメモリ２０のチェック処理が行われ、これによってフラッシュメモリ２０側に予めセットしている基本データのコピー制御コマンドが取得される。
【００６４】
続いてステップＳ４でフラッシュメモリ２０の実装の有無をチェックし、ステップＳ６で基本データのコピー制御コマンドが得られたか否かチェックする。この場合には基本データのコピー制御コマンドが得られていることから、ステップＳ９に進み、フラッシュメモリ２０の基本データのみをＳＲＡＭ１８にコピーする。
【００６５】
このように基本データのみをＳＲＡＭ１８にコピーできれば、別のフラッシュメモリ２０をコピー先として差し替え、一旦電源スイッチ１３ａをオフにした後に復旧スイッチ１３ｃをオンしながら電源スイッチ１３ａを投入することで、ステップＳ２，Ｓ２０，Ｓ２１のコピーモード２に従いＳＲＡＭ１８の基本データのみをフラッシュメモリ２０にコピーできる。
【００６６】
尚、図４のコピー処理にあっては基本データの部分コピーを例にとっているが、連動データのコピー制御コマンドをコピー元のフラッシュメモリ２０に予め設定しておくことで、別のフラッシュメモリに連動データのみを部分的にコピーすることもできる。
【００６７】
図５は、復旧スイッチ１３ｃの操作を必要とすることなく電源投入で自動的にＲＡＭのコピーをフラッシュメモリに取ることのできるコピーモード３の処理動作のフローチャートである。
【００６８】
コピーモード３にあっては、コピー元のフラッシュメモリ２０をコネクタ１９に接続して電源スイッチ１３ａをオンすると、コピーモード１に従ってＳＲＡＭ１８にフラッシュメモリ２０の内容をコピーした後、電源スイッチ１３ａをオフとする。この状態でコピー先のフラッシュメモリ２０に差し替える。
【００６９】
コピー先のフラッシュメモリ２０にはコピーモード３に対応したコピー制御コマンドを予めセットしておく。コピー先のフラッシュメモリ２０をコネクタ１９に接続した状態で再度電源スイッチ１３ａをオンすると、ステップＳ２でフラッシュメモリ２０のチェック処理が行われ、ステップＳ３でフラッシュメモリ２０の実装が判別され、ステップＳ４でフラッシュメモリ２０にコピー制御コマンドがあるか否かチェックされる。
【００７０】
コピー制御コマンドがあればステップＳ２０に進み、そのときＳＲＡＭ１８に保持されている基本データ及び連動データをコピー先のフラッシュメモリ２０にコピーバックし、コピーが終了するとステップＳ２１で「ピーピーピー」等の音声出力が行われる。
【００７１】
それ以外のコピーモード１におけるフラッシュメモリ２０からＳＲＡＭ１８へのコピー、及びコピーモード４におけるフラッシュメモリ２０の基本データまたは連動データの一部のコピーは、図４の手動操作によるコピーモード２のフローチャートの場合と同じである。
【００７２】
尚、上記の実施形態にあっては、手動操作によるコピーの際に復旧スイッチをオンしながら電源スイッチを入れているが、復旧スイッチ以外の任意のスイッチをコピー操作のために使用するようにしてもよい。
【００７３】
また、データ登録モード時に専用書込スイッチ１３ｂを操作することで、ＳＲＡＭ１８の内容をフラッシュメモリにコピーするようにしているが、専用のスイッチではなく、操作部に一般的に設けられるスイッチ、例えば復旧スイッチを兼用して使用しても良い。但し、他のスイッチと兼用する場合には、操作時間により異なるスイッチ機能になるようにする。
【００７４】
また、フラッシュメモリ２０に記憶される連動データ４３は、予め基本データと同時に現場へ行く前に専用の書込装置で登録しておいて現場で変更しても良いし、全く登録しておかないで、現場で全て登録するようにしても良い。
【００７５】
また本発明は上記の実施形態の数値による限定は受けず、更に本発明の目的と利点を損なわない適宜の変形を含む。
【００７６】
【発明の効果】
以上説明してきたように本発明によれば、バンク単位での読み書きしかできないフラッシュメモリであっても、フラッシュメモリの内容をＲＡＭにコピーして使用することでＲＡＭ上でのアドレス単位でのデータの設定変更が簡単にできる。
【００７７】
またＲＡＭにコピーした内容を変更した後に、自動コピー機能又は手動コピー機能によりＲＡＭの内容をフラッシュメモリ側にコピーバックできることで、防災監視制御盤を使用したメモリパックのコピーが簡単にできる。
【図面の簡単な説明】
【図１】本発明による防災監視制御盤のブロック図
【図２】図１の回線ユニットのブロック図
【図３】図１のフラッシュメモリのメモリ構成及びデータ構造の説明図
【図４】コピー処理のフローチャート
【図５】自動コピー処理のフローチャート
【符号の説明】
１：防災監視制御盤
２：メインＣＰＵ
３：受信制御部
４：コピー処理部
５，５ａ，５ｂ：回線ユニット
６，６ａ，６ｂ：感知器回線
７，７ａ，７ｂ：制御回線
８，８ａ，８ｂ：火災感知器
９：地区音響装置
１０：防排煙機器
１１ａ，１１ｂ：地区表示部
１２：操作部
１３ａ：電源スイッチ
１３ｂ：書込スイッチ
１３ｃ：復旧スイッチ
１３ｄ：登録モード設定スイッチ
１５：表示部
１６：主音響装置
１７：移報出力部
１８：ＳＲＡＭ
１９：コネクタ
２０：フラッシュメモリ
２０ａ：メモリパック
２１：電源ユニット
２２：回線基板
２３：移報制御リレー基板
２４：ローカルＣＰＵ
２５：火災受信回路
２６：確認信号受信回路
２７：制御出力回路
２８：伝送回路
３０：基本データ領域（第１領域）
３２：連動データ領域（第２領域）
３３：基本データ
３４：回線数データ
３５：内部ユニット実装データ
３６：オプショク機能設定データ
３７：異常検出判定データ
３８：全回線数データ
３９：火報回線数データ
４０：防排煙回線数データ
４１：ガス回線数データ
４２：警報回線数データ
４４：連動元
４５：連動先
【図１】
0003588562.tif 000002
【図２】
0003588562.tif 000003
【図３】
0003588562.tif 000004
【図４】
0003588562.tif 000005
【図５】
0003588562.tif 000006